(57)【要約】【課題】構造の複雑化およびコストの増加することなく、エンジンマントの振動を低減させることができる防振装置を提供する。【解決手段】コア部材１および外筒部材２のそれぞれを設け、コア部材１の外周面と、外筒部材２の内周面とを、弾性部材３により全周にわたって液密に連結するとともに、外筒部材２の、コア部材１とは反対の側をダイアフラム４によって液密に封止し、このダイアフラム４と弾性部材３とで囲繞される空間を、液体を封入した流体室とし、この流体室を、仕切部材５をもって、コア部材側に位置する主液室６と、ダイアフラム側に位置する副液室７とに区画し、それらの両液室を、振動の減衰をもたらす制限通路８で、相互に連通させ、外筒部材２は、ダイアフラム４の装着部分２ａと、仕切部材５の装着部分２ｂとの間で二分割してなり、両分割部分が弾性部材を介して連結してなることを特徴とする。【選択図】図１
2011064258.tif 000002
【特許請求の範囲】
【請求項１】
振動発生側部材または振動伝達側部材のいずれか一方側に連結されるコア部材および、他方側に連結される外筒部材のそれぞれを設け、コア部材の外周面と、外筒部材の内周面とを、弾性部材により全周にわたって液密に連結するとともに、外筒部材の、コア部材とは反対の側をダイアフラムによって液密に封止し、少なくとも、このダイアフラムと弾性部材とで囲繞される空間を、液体を封入した流体室とし、この流体室を、仕切部材をもって、コア部材側に位置する主液室と、ダイアフラム側に位置する副液室とに区画し、それらの両液室を、振動の減衰をもたらす制限通路で、相互に連通させてなる防振装置において、
前記外筒部材は、ダイアフラムの装着部分と、仕切部材の装着部分との間で二分割してなり、両分割部分が弾性部材を介して連結してなることを特徴とする防振装置。
【請求項２】
外筒部材の、仕切部材の装着側の分割部分を振動発生側部材に、コア部材を振動伝達側部材に連結し、ダイアフラムを車両装着上側に配置してなる請求項１に記載の防振装置。
【請求項３】
ダイアフラムの周囲を、質量部材の一部としての内筒部材に加硫接着してなる請求項１または２に記載の防振装置。
【請求項４】
前記内筒部材を、外筒部材の、ダイアフラムの装着側の分割部分に、かしめ固定してなる請求項３に記載の防振装置。
【請求項５】
外筒部材の、ダイアフラムの装着側の分割部分に被覆部材を設けてなる請求項１〜４のいずれかに記載の防振装置。
【発明の詳細な説明】
【技術分野】
【０００１】
本発明は、エンジンマウント等として適用されて、内部に封入した非圧縮性の液体の流動に基づいて振動減衰機能を発揮させることができる防振装置に関するものである。
【背景技術】
【０００２】
例えば、エンジンからの振動がエンジンマウントに伝達されると、エンジンマウントがそれの車体側取付部を支点として振動し、車室内にエンジン振動が伝播されるため、エンジンマウントそれ自体の振動を抑制するためにエンジンマウントにダイナミックダンパーを設けることが行われている。
【０００３】
ところで、このようなダイナミックダンパーでは、質量部材としてのマスを、エンジンマウント本体から独立させて別途設けることが多いため、ダイナミックダンパーの構造の複雑化、大型化およびコストの増加等が否めなかった。
【０００４】
これがため、例えば、特許文献１には、「第１取付金具と車体側取付部材をインシュレータで結合し、内側に形成される主液室と副液室を仕切部材で仕切り、オリフィス通路で連通する。仕切部材はインシュレータの延長部とダイアフラムの外周部で挟持する。ダイアフラムの外周厚肉部に一体化された取付リングの外フランジを延長部にせん断方向で支持される連結金具とカシメ固定することにより、仕切部材とダイアフラムを延長部で浮動支持して剛体共振させる。」ことにより、主液室に発生するキャビテーション現象の衝撃を車体側取付部材へ伝達しないよう、仕切部材の剛体共振する技術が提案されている。
【０００５】
しかるに、このような技術では、ダイナミックダンパーの作用に当たって、ダイアフラムと仕切部材の位置が移動して、主液室の容積が変位するため、主液室と副液室との間での液体の流動に基づく、特に低周波振動の所望の防振性能の達成ができないおそれがあった。
【０００６】
また、特許文献２には、「第一の支持金具と第二の支持金具とを、それらの間に介装されたゴム弾性体にて連結する一方、壁部の一部がゴム弾性体にて構成されて振動入力時に内圧変動が惹起される受圧室と、壁部の一部が可撓性膜にて構成されて容積変化が容易に許容される平衡室とを、第二の支持金具によって支持された仕切部材を挟んだ両側にそれぞれ形成せしめて成る流体封入式マウント装置において、前記可撓性膜を覆う蓋金具を、前記第二の支持金具に対して、支持ゴム弾性体を介して弾性的に取り付けることにより、それら支持ゴム弾性体と蓋金具とによって、動的吸振器を構成せしめた。」技術が提案されている。
【０００７】
ところが、特許文献２に記載の技術では、蓋金具のみがダイナミックダンパーのマスとしての機能を発揮するため、十分な質量を達成することが難しくなり、ダイナミックダンパーとしての効果が低減するおそれがあった。
【先行技術文献】
【特許文献】
【０００８】
【特許文献１】特開２００８−１３８８５６号公報
【特許文献２】実開平４−１１９６４９号公報
【発明の概要】
【発明が解決しようとする課題】
【０００９】
そこで、本発明は、構造の複雑化およびコストの増加することなく、エンジンマウントの振動を低減させることができる防振装置を提供することにある。
【課題を解決するための手段】
【００１０】
この発明にかかる防振装置は、振動発生側部材または振動伝達側部材のいずれか一方側に連結されるコア部材および、他方側に連結される外筒部材のそれぞれを設け、コア部材の外周面と、外筒部材の内周面とを、弾性部材により全周にわたって液密に連結するとともに、外筒部材の、コア部材とは反対の側をダイアフラムによって液密に封止し、少なくとも、このダイアフラムと弾性部材とで囲繞される空間を、液体を封入した流体室とし、この流体室を、仕切部材をもって、コア部材側に位置する主液室と、ダイアフラム側に位置する副液室とに区画し、それらの両液室を、振動の減衰をもたらす制限通路で、相互に連通させてなるものであって、前記外筒部材は、ダイアフラムの装着部分と、仕切部材の装着部分との間で二分割してなり、両分割部分が弾性部材を介して連結してなることを特徴とするものである。
【００１１】
このような防振装置においてより好ましくは、外筒部材の、仕切部材の装着側の分割部分を振動発生側部材に、コア部材を振動伝達側部材に連結し、ダイアフラムを車両装着上側に配置する。
【００１２】
また好ましくは、ダイアフラムの周囲を、質量部材の一部としての内筒部材に加硫接着させる。
好ましくは、前記内筒部材を、外筒部材の、ダイアフラムの装着側の分割部分に、かしめ固定する。
【００１３】
ところで、外筒部材の、ダイアフラムの装着側の分割部分に被覆部材を設けることが好ましい。
【発明の効果】
【００１４】
この発明の防振装置では、外筒部材は、ダイアフラムの装着部分と、仕切部材の装着部分との間で二分割してなり、両分割部分が弾性部材を介して連結することで、外筒部材の、ダイアフラムの装着側の分割部分にダイナミックダンパーのマス機能を持たせることができ、このマスの増加分の防振装置全体の周波数を下げることができる。その結果、構造の複雑化およびコストの増加することなく、防振装置にダイナミックダンパー効果を実現して、高周波の振動を低減することができる。
【００１５】
また、両分割部分が弾性部材を介して連結することで、外筒部材にばね要素の弾性を持たせて、振動減衰機能を達成することができる。
【００１６】
そして、ダイアフラムは剛性が低いため、ダイナミックダンパー効果によってダイアフラムの装着側部分がマス機能を発揮しても、副液室を大気圧に保つようにダイアフラムが可動することになり、副液室の容積は変化しない。その結果、本発明では、ダイナミックダンパーの共振と流体性能を両立することができる。
【図面の簡単な説明】
【００１７】
【図１】本発明の製造装置の一の実施状態を示す縦断面図である。
【図２】図１の防振装置を車両に装着した状態を示す縦断面図である。
【図３】本発明の製造装置の他の実施状態を示す縦断面図である。
【図４】本発明の製造装置の他の実施状態を示す縦断面図である。
【図５】本発明の製造装置の他の実施状態を示す縦断面図である。
【発明を実施するための形態】
【００１８】
以下に、図面を参照しながら防振装置を詳細に説明する。
図１は、本発明の防振装置の一の実施状態を示す図であり、図２は図１の防振装置を車両に装着した状態を示す縦断面図である。
この発明の防振装置では、エンジンその他の振動発生側部材または、車体等の振動伝達側部材のいずれか一方側、図では下方に位置する振動伝達側部材である車体に連結されるコア部材１および、他方側、図では側方に位置するエンジンと連結される外筒部材２のそれぞれを設け、これらのコア部材１の外周面と、外筒部材２の内周面とを、ゴム、エラストマー、プラスチック等からなる弾性部材３によって全周にわたって液密に連結するとともに、弾性部材３のコア部材１と反対側を、ゴム等からなるダイアフラム４によって液密に封止する。
【００１９】
またこの図では、弾性部材３の上端部分を、外筒部材２の内周面を覆う薄肉部３ａとし、図に示すところでは、弾性部材３をもって、コア部材１の下端部は弾性部材３から露出させることとしているも、コア部材１の下端面まで覆うことも可能である。
【００２０】
ここでは、少なくとも、ダイアフラム４と、弾性部材３とで囲繞される空間、ときには、それらに加えて、弾性部材３から露出するコア部材１とで囲繞される空間を、エチレングリコール等の、非圧縮性の所要の液体を封入した流体室とし、そして、この流体室を、仕切部材５によって、弾性部材側に位置する主液室６と、ダイアフラム側に位置する副液室７に区画する。
【００２１】
そして、これらの主液室６と副液室７とを、図では仕切部材５に設けられる制限通路８で、相互に連通させる。この制限通路８は、断面形状がチャンネル状をなす環状剛性材料を、外筒部材２の内周面に沿って全周にわたって、薄肉部３ａを介して間接的に、外筒部材２のかしめ固定等する。この仕切部材５は外筒部材２に固定されているため、仕切部材５の位置が振動により変位することなく主液室６の液圧減少はなく、流体本来の特性を損ねることはない。
【００２２】
また、この仕切部材５の主液室側には弾性部材からなるメンブラン９を配置することができる。
【００２３】
このような防振装置では、コア部材１または外筒部材２のいずれか一方に連結された振動発生部から入力された振動は、弾性部材３の変形によって吸収される他、主・副液室内の液体が、圧力変化に基づいて、制限通路８を経て、それらの間で流動することによる液柱共振、流動抵抗等によって減衰されることになるので、他方の部材が防振されるのは振動伝達側に連結された十分に防振されることになる。
【００２４】
この一方で、高周波の振動が入力されて、制限通路８が目詰まり状態となって、封入液体のそこへの流動が不能となった場合は、メンブラン９が、例えば弾性変形下で振動することで、液室内圧の異常な増加を防止するので、弾性部材３の変形に基づく防振機能は依然として発揮することができ、動ばね定数を十分に低く抑えることができる。
【００２５】
そしてこの防振装置では、外筒部材２は、ダイアフラム４の装着側の分割部分２ａと、仕切部材５の装着側の分割部分２ｂとの間で二分割し、両分割部分２ａ，２ｂが弾性部材、図では薄肉部３ａを介して連結し、好ましくは、ダイアフラム４の周囲を、質量部材の一部としての内筒部材１０に加硫接着する。
【００２６】
このような防振装置において好ましくは、外筒部材２の、仕切部材５の装着側の分割部分２ｂを振動発生側部材に、コア部材１を振動伝達側部材に連結し、ダイアフラム４を車両装着上側に配置することで、液室内で発生するキャビテーション異音が、ゴムを介して車体に伝達されるため、異音レベルを低減することができる。
【００２７】
また好ましくは、ダイアフラム４の周囲を、内筒部材１０に加硫接着することで、この内筒部材１０がダイアフラム４の径方向の伸び縮みを規制するとともに、マス効果と発揮させることができる。
【００２８】
そしてまた好ましくは内筒部材１０を、外筒部材２の、ダイアフラムの装着側の分割部分２ａでかしめ固定することで、ダイアフラム４全体および副液室７の液体の一部をマスとして機能させることができる。
【００２９】
図３は、本発明の防振装置の他の実施状態を示す図である。
なお、先の図１に示したタイヤと同様の要素には同一の符号を付し、その説明を省略する。
この実施形態では、外筒部材１２の、ダイアフラム４の装着側の分割部分１２ａの下側端部および仕切部材の装着側の分割部分１２ｂの上側端部が、弾性部材３の薄肉部を介して重ね配置して連結する。この構成によりダイアフラム４の装着側の分割部分１２ａに位置するゴム部材の薄肉部の剪断変形を仕切部材５の装着側の分割部分１２ｂで拘束することができる。
【００３０】
図４は、本発明の防振装置の他の実施状態を示す図である。
なお、先の図１に示したタイヤと同様の要素には同一の符号を付し、その説明を省略する。
この実施形態では、外筒部材２の、ダイアフラム４の装着側の分割部分２ａの外周側から上部を、略浅底の逆カップ形状の、ダイアフラム４の装着側の分割部分２ａの開口を被覆する被覆部材２０を、かしめ固定する。
この構成により、ダイアフラム４の外側が、かかる被覆部材２０にて覆われて、保護され、傷や塗装を防止することができるとともに、被覆部材２０をダイナミックダンパーのマスとすることができる。
【００３１】
図５は、本発明の防振装置の他の実施状態を示す図である。
なお、先の図１に示したタイヤと同様の要素には同一の符号を付し、その説明を省略する。
この実施形態のように、本発明では、上方に位置するエンジンにコア部材１を連結し、側方に位置する振動伝達側部材である車体に外筒部材２を連結することもできる。
【符号の説明】
【００３２】
１    コア部材
２，１２  外筒部材
２ａ，１２ａ  ダイアフラムの装着側の分割部分
２ｂ，１２ｂ  仕切部材の装着側の分割部分
３    弾性部材
３ａ  薄肉部
４    ダイアフラム
５    仕切部材
６    主液室
７    副液室
８    制限通路
９    メンブラン
１０  内筒部材
２０  被覆部材
【図１】
2011064258.tif 000003
【図２】
2011064258.tif 000004
【図３】
2011064258.tif 000005
【図４】
2011064258.tif 000006
【図５】
2011064258.tif 000007